(57)【特許請求の範囲】
【請求項１】
先端にコネクタ（４）を装着したメインチューブ（２）の途中に分岐部（３）を配置し、
分岐部（３）の途中に分岐チューブ（５）の後端部を接続するとともに分岐チューブ（５）の先端部をチャンバー（７）下部に設けられた下キャップ（９）に接続し、
前記下キャップ（９）に先端にコネクタ（１３）を装着した洗浄チューブ（１２）の後端部を接続し、
チャンバー（７）の上部に接続部材（１０）を装着した上キャップ（８）を装着し、
前記コネクタ（４）とコネクタ（１３）はお互い着脱可能な形状のコネクタにより形成されていることを特徴とする体液処理用回路（１）。
【請求項２】
前記チャンバー（７）に代えて、接続部材（１０）の基部を装着しかつ分岐チューブ（５）と洗浄チューブ（１２）の先端部を装着して接続部材（１０）と分岐チューブ（５）と洗浄チューブ（１２）の液体流路を連通することのできる接続基部（７Ａ）を配置したことを特徴とする請求項１に記載の体液処理用回路（１）。
【請求項３】
前記分岐チューブ（５）と洗浄チューブ（１２）の途中に液体流路の開閉を行うことのできるストッパー（６、１４）を装着したことを特徴とする請求項１または請求項２に記載の体液処理用回路（１）。
【請求項４】
分岐チューブ（５）または洗浄チューブ（１２）のどちらか一方に外付のストッパー（６、１４）を装着し、該ストッパー（６、１４）を装着していない分岐チューブ（５）または洗浄チューブ（１２）のどちらか一方に外圧により破断して分岐チューブ（５）または洗浄チューブ（１２）の液体流路を開通させることのできる内付のストッパー（１６）を装着したことを特徴とする請求項１から請求項３のいずれか１の請求項に記載の体液処理用回路（１）。
【発明の詳細な説明】
【０００１】
【発明の属する技術分野】
本発明は、人工腎臓、血漿分離装置その他体液処理装置に接続される体液循環回路の一部を構成する体液処理用回路に関する。
【０００２】
【従来技術及び発明が解決しようとする課題】
出願人は実用新案出願公告平成４年第１６６７７号に体液導入側回路のメインチューブから洗浄液をチューブ内に順次導入してチューブ内の洗浄を行うことのできる体液処理用回路を提案した。
最近、上記実用新案は各社により図４のような形態で商品化されている。
図４の体液処理用回路３１は分岐チューブ３５、３５の途中に分岐部４５を配置し、分岐部４５に先端にコネクタ４３を装着し途中にクランプ４４を装着した洗浄チューブ４２を接続し、分岐チューブ３５の先端部を内部にフィルタ４６を配置し上部に接続チューブ４７を介して接続部材４０を接続したチャンバー３７に接続しているため部品点数（特にチューブの数）が多くなり、コスト高となっていた。また分岐チューブ３５、３５、洗浄チューブ４２、接続チューブ４７の各チューブが複雑にからみあって体液処理用回路が複雑となり各部品の組立が困難であるばかりか使用に際しても洗浄操作が行いにくかった。
そこで本発明者らは以上の課題を解決するために鋭意検討を重ねた結果次の発明に到達した。
【０００３】
【課題を解決するための手段】
［１］本発明は、先端にコネクタ（４）を装着したメインチューブ（２）の途中に分岐部（３）を配置し、
分岐部（３）の途中に分岐チューブ（５）の後端部を接続するとともに分岐チューブ（５）の先端部をチャンバー（７）下部に設けられた下キャップ（９）に接続し、
前記下キャップ（９）に先端にコネクタ（１３）を装着した洗浄チューブ（１２）の後端部を接続し、
チャンバー（７）の上部に接続部材（１０）を装着した上キャップ（８）を装着し、
前記コネクタ（４）とコネクタ（１３）はお互い着脱可能な形状のコネクタにより形成されている体液処理用回路（１）を提供する。
［２］本発明は、前記チャンバー（７）に代えて、接続部材（１０）の基部を装着しかつ分岐チューブ（５）と洗浄チューブ（１２）の先端部を装着して接続部材（１０）と分岐チューブ（５）と洗浄チューブ（１２）の液体流路を連通することのできる接続基部（７Ａ）を配置した［１］に記載の体液処理用回路（１）を提供する。
［３］本発明は、前記分岐チューブ（５）と洗浄チューブ（１２）の途中に液体流路の開閉を行うことのできるストッパー（６、１４）を装着した［１］または［２］に記載の体液処理用回路（１）を提供する。
［４］本発明は、分岐チューブ（５）または洗浄チューブ（１２）のどちらか一方に外付のストッパー（６、１４）を装着し、該ストッパー（６、１４）を装着していない分岐チューブ（５）または洗浄チューブ（１２）のどちらか一方に外圧により破断して分岐チューブ（５）または洗浄チューブ（１２）の液体流路を開通させることのできる内付のストッパー（１６）を装着した［１］から［３］のいずれか１項に記載の体液処理用回路（１）を提供する。
【０００４】
【発明の実施の形態】
図１は本発明の体液処理用回路１の概略図である。体液処理用回路１は先端にコネクタ４を装着したメインチューブ２の途中に分岐部３を配置し、これに途中にストッパー６を装着した分岐チューブ５を介して輸液容器の接続部材１０及び洗浄チューブ１２を装着したチャンバー７を接続することにより構成される。
チャンバー７は上部に接続部材１０を一体に成形した上キャップ８と下部に下キャップ９が装着されている。下キャップ９には前記分岐チューブ５の先端が接続されるとともに先端にコネクタ１３を装着し途中にストッパー１４を装着した洗浄チューブ１２の後端部が接続されている。
前記コネクタ４とコネクタ１３はお互いに着脱可能な形状の組合せのコネクタが採用される。例えばコネクタ４がオスコネクタ（メスコネクタ）であればコネクタ１３はメスコネクタ（オスコネクタ）が使用される。
接続部材１０は輸液容器の口部に直接穿刺できるプラスチック針が好ましいが輸液容器の口部に接続できる形状であればコネクター等でも良い。
【０００５】
また本発明では前記チャンバー７に代えて図２に示す接続基部７Ａを採用することができる。接続基部７Ａは接続部材１０の基部を装着しかつ分岐チューブ５と洗浄チューブ１２の先端部を装着して接続部材１０と分岐チューブ５と洗浄チューブ１２の液体流路を連通している。
【０００６】
ストッパー６とストッパー１４は分岐チューブ５と洗浄チューブ１２の液体流路の開閉を調整できるものであれば何でも採用することができる。
例えばロールクランプ、ジュラクランプ、スライドロッククランプ、板クランプ等のクランプやクリップ、鉗子が使用できる。前記クランプやクリップは体液処理用回路１の組立時から分岐チューブ５と洗浄チューブ１２に外付けすることが望ましいが鉗子と同じように使用時に外付けすることもできる。
また前記分岐チューブ５と洗浄チューブ１２のどちらか一方に前記外付のストッパー６、１４を装着し、該ストッパー６、１４を装着していない分岐チューブ５または洗浄チューブ１２のどちらか一方に外圧により破断して分岐チューブ５または洗浄チューブ１２の液体流路を開通させることのできるいわゆる内付のストッパー１６を装着することができる。これらのストッパー１６の一例として図３に示す連通部材１６が使用される。連通部材１６は小径部１７と大径部１９を薄肉部１８を介して一体に形成され大径の連結チューブ１５の中に装填されて、分岐チューブ５（洗浄チューブ１２）の間に配置される。図３の連通部材１６は内付ストッパーの一例であり、連通部材と同様の作用効果を奏するものであればあらゆる形態の内付ストッパーを採用することができる。
【０００７】
本発明の体液処理用回路１は体液循環回路を構成する体液導入側回路の上流付近の一部を構成するものであり、体液導入側回路の下流にはさらに体液処理装置、体液導出側回路の順に接続される。
前記チャンバー７と接続基部７Ａの形状、構造は図１と図２に記載したものに限定されず要するに接続部材１０と洗浄チューブ１２を同時に双方とも装着できる形状、構造であれば何でも良い。また接続部材１０は上キャップ８または接続基部７Ａに一体成形または植設することが望ましいが短い連結チューブ等を介して上キャップ８または接続基部７Ａに接続しても良い。
【０００８】
次に体液処理用回路１の使用方法の一例について説明する。
コネクタ４とコネクタ１３を接続してメインチューブ２と洗浄チューブ１２を連通させる。接続部材１０に輸液容器の口部を接続し、ストッパー６を閉、ストッパー１４を開にして、接続部材１０より洗浄用の輸液をチャンバー７内に導入し、さらに洗浄チューブ１２、コネクタ１３、コネクタ４を経てメインチューブ２内に導入し、コネクタ４からメインチューブ２の分岐部３付近まで洗浄を行う。
続いてストッパー１４を閉、ストッパー６を開にして新たな輸液を分岐チューブ５を介して分岐部３、メインチューブ２の下流に流し込み、以下、さらに下流に配置された体液処理装置、体液導出側回路まで導入してこれらの洗浄を行う。
本発明の体液処理用回路１は使用前の体液処理回路内へのプライミング液の充填並びに洗浄、使用後の体液処理回路内に残った血液等の洗浄、回収用に好適に使用される。
【０００９】
また分岐チューブ５の途中に内付のストッパーとして図３の連通部材１６を配置し、洗浄チューブ１２の途中に外付のストッパー１４を装着した体液処理用回路１は次のようにして使用される。
前記と同様にコネクタ４とコネクタ１３を接続してメインチューブ２と洗浄チューブ１２を連通させ、接続部材１０に輸液容器の口部を接続した後、ストッパー１４を開にして前記と同様にコネクタ４からメインチューブ２の分岐部３付近まで洗浄を行う。
続いてストッパー１４を閉、連通部材１６を外圧により破断して液体流路を開通させた後、前記と同様に新たな輸液を分岐チューブ５を介して分岐部３、メインチューブ２の下流に流し込み前記と同様に洗浄を行うことができる。この方法では分岐チューブ５の液体流路を最初から閉の状態にしておくことができる。
【００１０】
【発明の作用効果】
本発明の体液処理用回路１は従来の体液処理用回路３１と比較して部品点数（チューブの数）が減少し、コストダウンを図ることができる。また組立が容易で使用に際してもチューブがからみあうことなく洗浄操作等を容易に行うことができる。
【図面の簡単な説明】
【図１】本発明の体液処理用回路の概略図
【図２】体液処理用回路１のチャンバー７のその他の実施例である接続基部７Ａの概略図
【図３】ストッパーの一例を示す拡大図
【図４】従来の体液処理用回路の概略図
【符号の説明】
１、３１  体液処理用回路
２、３２  メインチューブ
３、３３  分岐部
４、３４  コネクタ
５、３５  分岐チューブ
６  ストッパー
７、３７  チャンバー
７Ａ  接続基部
８  上キャップ
９  下キャップ
１０、４０  接続部材
１１、４１  キャップ
１２、４２  洗浄チューブ
１３、４３  コネクタ
１４  ストッパー
１５  連結チューブ
１６  連通部材（内付のストッパー）
１７  小径部
１８  薄肉部
１９  大径部
３６  クランプ
４４  クランプ
４５  分岐部
４６  フィルタ
４７  接続チューブ
４８  連結管
【図１】
0004080082.tif 000002
【図２】
0004080082.tif 000003
【図３】
0004080082.tif 000004
【図４】
0004080082.tif 000005